(57)【要約】ＮＧＮ−ＩＭＳサブシステム内での「永久登録ユーザ」（ユーザ１、ユーザ２〜ユーザ５００）の登録を改良する方法。永久登録ユーザは、そのＩＭＰＩ／ＩＭＰＵ識別子を用いて専用のＩＭＳ仮想ユーザとしてＩＭＳサブシステム内で登録されるグループ装置（ＡＧＷ１、ＩＰ−ＰＢＸ、ＳＩＰ／Ｈ．３２３ＧＷ）を介してＩＭＳサブシステムに結合される。次いでＨＳＳ／ＵＰＳＦサーバは、ユーザ・プロフィールをまとめてダウンロードすることを許される。これは、ＩＭＳ上のより少ない負荷およびグループ装置のより短い起動時間をもたらす。
2010502062.tif 000002
【特許請求の範囲】
【請求項１】
ＮＧＮシステムのＩＭＳサブシステム内での複数の永久登録ユーザ（ユーザ１、ユーザ２〜ユーザ５００）の登録のための方法であって、前記永久登録ユーザはグループ装置（ＡＧＷ１、ＩＰ−ＰＢＸ、ＳＩＰ／Ｈ．３２３ＧＷ）を介して前記ＩＭＳサブシステムに結合され、
前記ＩＭＳサブシステム内で前記グループ装置（ＡＧＷ１、ＩＰ−ＰＢＸ、ＳＩＰ／Ｈ．３２３ＧＷ）を専用のＩＭＳ仮想ユーザとして登録するステップを備えることを特徴とする方法。
【請求項２】
前記グループ装置は、ＩＭＰＩ／ＩＭＰＵ識別子を用いて前記ＩＭＳサブシステム内で構成されることを特徴とする、請求項１に記載の方法。
【請求項３】
前記グループ装置は、前記ＩＭＳサブシステムのＨＳＳ／ＵＰＳＦサーバ内で構成されることを特徴とする、請求項２に記載の方法。
【請求項４】
前記グループ装置の登録が成功した後、前記ＨＳＳ／ＵＰＳＦサーバは前記グループ装置に結合された各永久登録ユーザの前記ＩＭＰＩ／ＩＭＰＵ識別子を登録することを特徴とする、請求項３に記載の方法。
【請求項５】
前記ＨＳＳ／ＵＰＳＦサーバは、前記グループ装置の前記登録が成功した後に前記ＩＭＳシステムのＳ−ＣＳＣＦに前記永久登録ユーザのユーザ・プロフィールをダウンロードすることを特徴とする、請求項４に記載の方法。
【請求項６】
前記ＨＳＳ／ＵＰＳＦサーバは、前記ユーザ・プロフィールをまとめてダウンロードすることを特徴とする、請求項５に記載の方法。
【請求項７】
前記永久登録ユーザ（ユーザ１、ユーザ２〜ユーザ５００）はＰＯＴＳユーザであることを特徴とする、請求項１に記載の方法。
【請求項８】
前記永久登録ユーザ（ユーザ１、ユーザ２〜ユーザ５００）はＩＰ−ＰＡＢＸのユーザであり、前記ＩＰ−ＰＡＢＸは前記グループ装置であることを特徴とする、請求項１に記載の方法。
【請求項９】
前記グループ装置は標準的プロトコル（Ｈ．２４８）によって制御されることを特徴とする、請求項１に記載の方法。
【請求項１０】
前記グループ装置はアクセス・ゲートウェイ（ＡＧＷ１）であることを特徴とする、請求項１に記載の方法。
【請求項１１】
前記グループ装置はレガシＳＩＰ／Ｈ．３２３ゲートウェイであることを特徴とする、請求項１に記載の方法。
【発明の詳細な説明】
【技術分野】
【０００１】
本発明は、ＮＧＮシステム（次世代ネットワーク）のＩＭＳサブシステム（ＩＰマルチメディア・サブシステム）内での複数の永久登録ユーザの登録のための方法に関し、前記永久登録ユーザはグループ装置を介して前記ＩＭＳサブシステムに結合される。
【背景技術】
【０００２】
公衆交換の通信領域内では、固定公衆通信網用のＴＤＭ（時分割多重）ベースの公衆交換通信網（ＰＳＴＮ）および移動通信網用の公衆地上移動通信網（ＰＬＭＮ）の第２世代が、第３世代のＩＰベースの次世代ネットワーク（ＮＧＮ）に向かって発展している。
【０００３】
第３世代の移動通信網の発展の範囲内ではＥＴＳＩ−３ＧＰＰの標準化が、ネットワーク・アーキテクチャを定義する。３ＧＰＰネットワーク・アーキテクチャ内では、（移動）アクセス部といわゆるＩＰマルチメディア・サブシステム（ＩＭＳ）層との間で分けられている。ＩＭＳ層は、アプリケーションに対するアクセスを行うことだけでなく、会話型のマルチメディア・セッションの制御を処理する。このＩＭＳ層はアクセスに依存しない。
【０００４】
第３世代の固定通信網の範囲内ではＥＴＳＩ−ＴＩＳＰＡＮは、ＩＭＳに関して３ＧＰＰによって行われたアーキテクチャ作業を再利用し、固定アクセスに関する要求を備えてアーキテクチャを拡張する。
【０００５】
固定アクセスの領域内では、ＩＭＳの観点から２つの種類のユーザが存在する。
・ネイティブＳＩＰ（セッション確立プロトコル）ユーザ：ＩＭＳに個々に登録する必要がある。これは、３ＧＰＰで現在、定義されている使用ケースである。
・グループのユーザ：ＩＭＳに登録する「グループ装置」の場合に永久に登録されると仮定される。ユーザは、ユーザの端末装置の種類（例えば、従来の単純旧式電話システム（ＰＯＴＳ））のために、またはユーザの端末装置が接続されているゲートウェイの特性（レガシＳＩＰ／Ｈ．３２３）のためにユーザ自身を登録しない。下記の種類のアクセスが含まれる。
＊集中型のアクセス・ゲートウェイ（例えば、Ｈ．２４８／Ｍｅｇａｃｏによって制御される）のＰＯＴＳ（単純旧式電話システム）ユーザ、
＊ＩＰ−ＰＡＢＸ（ＩＰ構内アクセス交換）のユーザ、
＊レガシＳＩＰ／Ｈ．３２３ゲートウェイのユーザ、または
＊任意の他の種類のグループ分け
【０００６】
既知のＮＧＮ  ＩＭＳサブシステムは、下記のアクセス技術に依存しない一般的なＳＩＰ中枢の呼セッション制御層を提供する。ＩＭＳに接続されるあらゆるユーザは、ＩＭＳに個々に登録するものと仮定される。さらに、あらゆる登録されたユーザに対して再登録シーケンスが定期的（毎時間に１度）に行われることになる。
【０００７】
例えば、ゲートウェイを用いてＩＭＳに接続されるユーザの場合、現在のＩＭＳアーキテクチャは、ＩＭＳ非公開ユーザ識別情報／ＩＭＳ公開ユーザ識別情報（ＩＭＰＩ／ＩＭＰＵ）を用いて識別されるこのゲートウェイのすべてのユーザがＩＭＳに個々に登録する必要があると仮定する。
【０００８】
エンドユーザが従来のＰＯＴＳ電話だけを有するまたはゲートウェイだけがＩＭＳに登録する（例えば、レガシＨ．３２３ゲートウェイ）という理由で、エンドユーザは自分自身を登録することができず、登録するＧＷの場合にすべてのユーザを一度に登録するのはアクセス・ゲートウェイ制御機能（ＡＧＣＦ）またはプロキシ呼セッション制御機能（Ｐ−ＣＳＣＦ）のいずれかによる。
【０００９】
何千もの端末を備える大規模のゲートウェイの場合、これは何千もの登録シーケンスを並列に送信すること（その後、何千ものプロフィールをダウンロードすること）を意味するであろう。
【００１０】
これは、ＩＭＳネットワークによって提供されるサービス品質（過負荷、セッションの拒否など）に影響を及ぼしうる。
【発明の概要】
【発明が解決しようとする課題】
【００１１】
本発明の目的は、この種の「永久登録ユーザ」の登録のための上記の既知の方法を改良することである。
【課題を解決するための手段】
【００１２】
本発明によりこの目的は、前記方法が前記ＩＭＳサブシステム内で前記グループ装置を専用のＩＭＳ仮想ユーザとして登録するステップを備えるということにより実現される。
【００１３】
本発明の概念はＩＭＳ内で処理することである。グループ装置は、ＩＭＰＩおよびＩＭＰＵを用いて識別される専用のＩＭＳ仮想ユーザとして処理される。仮想ＩＭＳユーザは、このグループ装置に接続されたすべてのＩＭＳユーザ（ＩＭＰＩ／ＩＭＰＵ）を分類する。
【００１４】
グループ装置の登録の概念は、ＩＭＳの暗黙の登録概念と混同されるべきではないことに留意されたい。暗黙の登録は加入（契約）に基づいて行われるが、グループ装置の登録は、ネットワーク・オペレータによって所有される１台の装置（複数の加入が関連付けられ、これらの加入のそれぞれが１つまたは複数の暗黙の登録セット（ＩＲＳ）に関連付けられることができる）に基づいて行われる。
【００１５】
本発明の他の特徴づける実施形態は、前記グループ装置が、ＩＭＰＩ／ＩＭＰＵ識別子を用いて前記ＩＭＳサブシステムのＨＳＳ／ＵＰＳＦサーバ（ホーム加入者サーバ／ユーザ・プロフィール・サーバ機能）内で構成されることである。
【００１６】
このようにして仮想ＩＭＳユーザは、ＨＳＳ内の新しいオブジェクトとして提供される。
【００１７】
さらに、前記グループ装置の登録が成功した後、前記ＨＳＳサーバは、前記グループ装置に結合された各永久登録ユーザのＩＭＰＩ／ＩＭＰＵ識別子を登録する。
【００１８】
このようにして１つのグループの永久登録ユーザは、グループ装置がＩＭＳに成功裏に登録した後にＩＭＳ内で自動的に登録される。
【００１９】
また本発明の他の特徴づける実施形態は、前記ＨＳＳ／ＵＰＳＦサーバが、グループ装置の登録が成功した後に前記ＩＭＳシステムのＳ−ＣＳＣＦ（サービング呼セッション制御機能）に前記永久登録ユーザのユーザ・プロフィールをダウンロードすることである。
【００２０】
このようにして、ＩＭＳ（Ｓ−ＣＳＣＦ／Ｉ−ＣＳＣＦ／ＨＳＳ／アプリケーション・サーバ）上の負荷がより少ない。さらに、グループ装置の起動時間が短縮される。
【００２１】
本発明の好ましい特徴づける実施形態では、前記ＨＳＳサーバが前記ユーザ・プロフィールをまとめてダウンロードする。
【００２２】
グループ装置の登録が成功した後、ＨＳＳ／Ｓ−ＣＳＣＦはすべての関連のＩＭＰＩ／ＩＭＰＵを自動的に登録し、ＨＳＳ／ＵＰＳＦは関連のユーザ・プロフィールをＳ−ＣＳＣＦにまとめてダウンロードする。グループ装置が数千のユーザ（例えば、５０００）を備えることができるとき、ＨＳＳ／ＵＰＳＦはユーザをまとめてダウンロードすることになる（例えば、各１００個のユーザ・プロフィールを含む５０個のメッセージ）。
【００２３】
本発明の他の特徴づける実施形態は、前記永久登録ユーザがＩＰ−ＰＡＢＸ（インターネット・プロトコル構内アクセス交換）のユーザであり、ここで前記ＩＰ−ＰＡＢＸは前記グループ装置であることである。
【００２４】
また本発明の他の特徴づける実施形態は、前記グループ装置がアクセス・ゲートウェイまたはレガシＳＩＰ／Ｈ．３２３ゲートウェイ（セッション確立プロトコル・ゲートウェイ）であることである。
【００２５】
本方法のさらなる特徴づける実施形態は、添付の「特許請求の範囲」内で述べられる。
【００２６】
「特許請求の範囲」内で使用される用語「備える」は、その後に記載される手段に限定されると解釈されるべきではないことに留意されたい。したがって、表現「手段ＡおよびＢを備える装置」の範囲は、構成要素ＡおよびＢだけで構成される装置に限定されるべきではない。それは、本発明に関して装置の唯一の関連の構成要素がＡおよびＢであることを意味する。
【００２７】
同様に、「特許請求の範囲」内で使用される用語「結合された」も直接接続だけに限定されると解釈されるべきではないことに留意されたい。したがって、表現「装置Ｂに結合された装置Ａ」の範囲は、装置Ａの出力が装置Ｂの入力に直接接続されている装置またはシステムに限定されるべきではない。それは、Ａの出力とＢの入力との間の経路が存在し、その経路は他の装置または手段を含む経路でありうることを意味する。
【００２８】
図が本発明の方法により動作するＮＧＮ  ＩＭＳサブシステムを表す添付の図面と共になされる１つの実施形態の下記の説明を参照することによって、本発明の上記および他の目的ならびに特徴がより明らかになり、本発明自体が最もよく理解されることになる。
【図面の簡単な説明】
【００２９】
【図１】ＮＧＮネットワーク（次世代ネットワーク）の３ＧＰＰ  ＩＭＳサブシステム（ＩＰマルチメディア・サブシステム）を示す図である。
【発明を実施するための形態】
【００３０】
ＩＭＳは、ＨＳＳ／ＵＰＳＦ（ホーム加入者サーバ／ユーザ・プロフィール・サーバ機能）、Ｓ−ＣＳＣＦ（サービング呼セッション制御機能）、Ｉ−ＣＳＣＦ（インテロゲーティング呼セッション制御機能）およびＰ−ＣＳＣＦ（プロキシ呼セッション制御機能）から構成されている。ＩＭＳは、ＩＭＳに接続される１組のグループ装置を介して「永久登録ユーザ」（ユーザ１、ユーザ２〜ユーザ５００）に結合される。
【００３１】
例えば、グループ装置は、アクセス・ゲートウェイＡＧＷ１、ＩＰ構内アクセス交換ＩＰ−ＰＡＢＸまたはＳＩＰ／Ｈ．３２３ＧＷなどのレガシ・セッション確立プロトコル・ゲートウェイであってよい。
【００３２】
「常にオンのユーザ」とも呼ばれる永久登録ユーザは、ＩＭＳに登録するグループ装置の場合に永久に登録されると仮定されたユーザである。ユーザは、ユーザの端末装置の種類（例えば、従来の単純旧式電話システム（ＰＯＴＳ））のためにまたはユーザの端末装置が接続されているゲートウェイの特性（レガシＳＩＰ／Ｈ．３２３）のためにユーザ自身を登録しない。下記の種類のアクセスが含まれる。
・集中型のアクセス・ゲートウェイ（例えば、Ｈ．２４８／Ｍｅｇａｃｏによって制御される）のＰＯＴＳ（単純旧式電話システム）のユーザ、
・ＩＰ−ＰＡＢＸのユーザ、
・レガシのＳＩＰ／Ｈ．３２３ゲートウェイのユーザ、または
・任意の他の種類のグループ分け
【００３３】
グループ装置の一例として、アクセス・ゲートウェイ制御機能ＡＧＣＦに接続されたアクセス・ゲートウェイ装置ＡＧＷ１に関するシナリオを以下で注目する。
【００３４】
ＨＳＳ／ＵＰＳＦは、専用の仮想ＩＭＳユーザとしてのグループ装置ＡＧＷ１、ならびにＡＧＷ１に結合されたすべての関連の永久登録ユーザ（ユーザ１〜ユーザ１００）についての情報を保持する。
【００３５】
ＡＧＷ１が初期化するとき、ＡＧＷ１は、（１）ユーザ１〜ユーザ１００に関連したすべての端末装置が利用できることを示すＡＧＣＦにサービス変更要求（例えば、Ｈ．２４８サービス変更）を送信する。
【００３６】
次いでＡＧＣＦは、グループ装置ＡＧＷ１の代わりにＳＩＰ登録を開始し、（２ａ）ＡＧＷ１に関連したＩＭＳ非公開ユーザ識別情報ＩＭＰＩおよびＩＭＳ公開ユーザ識別情報ＩＭＰＵを示すＩ−ＣＳＣＦに登録要求を送信する。
【００３７】
Ｉ−ＣＳＣＦは、（２ｂ）ＡＧＷ１が登録する必要があるＳ−ＣＳＣＦインスタンスを選択するために情報（好ましいＣＳＣＦまたは能力）を伝えることをＨＳＳ／ＵＰＳＦに要求する。同一のグループ装置に属するすべてのユーザは、同一のＳ−ＣＳＣＦインスタンスで登録される必要がある。
【００３８】
Ｉ−ＣＳＣＦは、（２ｃ）選択されたＳ−ＣＳＣＦインスタンスで登録要求を伝える。
【００３９】
認証後（グループ装置の一部にとって必要ない）、Ｓ−ＣＳＣＦは、（２ｄ）ここでグループ装置ＡＧＷ１がＳ−ＣＳＣＦに割り当てられることを示すサーバ割当要求をＨＳＳ／ＵＰＳＦに送信する。
【００４０】
ＨＳＳ／ＵＰＳＦは、（３）サーバ割当応答（ＳＡＡは図示せず）内ですべての関連のユーザ・プロフィールをＳ−ＣＳＣＦにまとめてダウンロードする。ダウンロードされるべきユーザ総数に応じて１つまたは複数のＳＡＡメッセージがありうる。
【００４１】
第三者のアプリケーション・サーバ登録は、永久登録ユーザのために実行されない。
【００４２】
最終の所見は、本発明の実施形態が、機能ブロックに関して上述されていることである。上記のこれらのブロックの機能説明から、どのようにこれらのブロックの実施形態がよく知られた電子部品を用いて製造されることができるかは、電子装置を設計する当業者にとって明らかである。したがって、機能ブロックの内容の詳細なアーキテクチャは示していない。
【００４３】
本発明の原理が特定の装置に関連して上述されているが、この説明は、例として単になされており、添付の「特許請求の範囲」で定義される本発明の範囲を限定するものではないことは明らかに理解されるべきである。
【図１】
2010502062.tif 000003
【国際調査報告】
2010502062.tif 000004
2010502062.tif 000005